(57)【要約】【課題】リフォームプランをより容易に作成することができるリフォームプラン作成装置を提供する。【解決手段】間取りに関する情報のリフォーム対象情報および費用の希望額である予算額情報を取得する取得部１２と、リフォーム前の間取りに関する情報のビフォア情報、ビフォア情報に対応するリフォーム後の間取りに関する情報でありビフォア情報と紐付けされたアフタ情報およびアフタ情報と紐付けされたリフォーム費用の価格情報が記憶された記憶部と、ビフォア情報に基づいて記憶部から前記リフォーム対象情報と類似範囲にあるビフォア情報を選択する類似選択機能１１Ａ、予算額情報に基づいて予算額情報以下の価格情報と紐付けされたアフタ情報を選択する予算選択機能１１Ｂ、選択されたビフォア情報並びに選択されたアフタ情報および価格情報を表示部２２に表示させる表示機能１１Ｃを有する制御部１１と、が設けられていることを特徴とする。【選択図】  図２
2017199131.tif 000002
【特許請求の範囲】
【請求項１】
建物の改築または模様替えであるリフォームのプラン作成を支援するシステムに用いられるリフォームプラン作成装置であって、
リフォーム対象である建物の間取りに関する情報であるリフォーム対象情報、および、前記建物のリフォームに要する費用の希望額である予算額情報を取得する取得部と、
予め取得されている間取りに関する情報であってリフォーム前の間取りに関する情報であるビフォア情報、前記ビフォア情報に対応するリフォーム後の間取りに関する情報であって前記ビフォア情報と紐付けされたアフタ情報、および、前記アフタ情報と紐付けされたリフォームに要する価格の値である価格情報が少なくとも記憶された記憶部との間で前記ビフォア情報、前記アフタ情報および前記角情報を少なくとも送受信する通信部と、
前記ビフォア情報に基づいて、前記記憶部から前記リフォーム対象情報と類似範囲にある前記ビフォア情報を選択する類似選択機能、前記予算額情報に基づいて前記予算額情報以下の前記価格情報と紐付けされた前記アフタ情報を選択する予算選択機能、前記類似選択機能により選択された前記ビフォア情報、並びに、前記予算選択機能により選択された前記アフタ情報および前記価格情報を表示部に表示させる表示機能、を少なくとも有する制御部と、
が設けられていることを特徴とするリフォームプラン作成装置。
【請求項２】
前記取得部は、前記リフォーム対象情報として前記間取りに関する間取り図面を取得するものであり、
前記ビフォア情報には、前記予め取得されている前記間取りに関する間取り図面であってリフォーム前の前記間取りに関する間取り図面が含まれ、
前記制御部の前記類似選択機能は、前記間取り図面に基づいて前記リフォーム対象情報と類似範囲にある前記ビフォア情報を選択することを特徴とする請求項１記載のリフォームプラン作成装置。
【請求項３】
前記記憶部に記憶されている前記アフタ情報には、前記アフタ情報に関する前記間取りに対して追加または変更が可能な部材に関する情報であるオプション情報が紐付けされ、
前記制御部の前記表示機能は、前記表示部に前記アフタ情報を表示させる際に、紐付けされた前記オプション情報を更に表示させることを特徴とする請求項１または２に記載のリフォームプラン作成装置。
【請求項４】
前記記憶部に記憶されている前記オプション情報には、前記オプション情報の採用に関する採用情報が紐付けされ、
前記制御部の前記表示機能は、前記表示部に前記オプション情報を表示する際に前記採用情報に基づいた表示を行うことを特徴とする請求項３記載のリフォームプラン作成装置。
【請求項５】
前記記憶部に記憶されている前記オプション情報には、所定の観点から分類分けされた傾向の分野である傾向情報が更に紐付けされ、
前記制御部は、前記建物のリフォームを発注する利用者の前記傾向情報を取得する傾向取得機能、および、取得した前記傾向情報と同一または類似する傾向情報と紐付けされた前記オプション情報を選択する傾向選択機能を更に有し、前記表示機能は、前記類似選択機能により選択された前記ビフォア情報、並びに、前記傾向選択機能により選択された前記オプション情報を前記表示部に表示させることを特徴とする請求項５または６に記載のリフォームプラン作成装置。
【請求項６】
前記記憶部に記憶されている前記アフタ情報には、所定の観点から分類分けされた傾向の分野である傾向情報が更に紐付けされ、
前記制御部は、前記建物のリフォームを発注する利用者の前記傾向情報を取得する傾向取得機能、および、取得した前記傾向情報と同一または類似する傾向情報と紐付けされた前記アフタ情報を選択する傾向選択機能を更に有し、前記表示機能は、前記類似選択機能により選択された前記ビフォア情報、並びに、前記予算選択機能および前記傾向選択機能により選択された前記アフタ情報および前記価格情報を前記表示部に表示させることを特徴とする請求項１から４のいずれか１項に記載のリフォームプラン作成装置。
【請求項７】
前記制御部の前記傾向取得機能は、前記傾向情報に紐付けされた予め定められた選択対象を前記表示部に表示させ、表示された前記選択対象のうち、前記利用者が選択した前記選択対象に紐付けされた前記傾向情報を前記利用者の傾向情報として取得することを特徴とする請求項５または６に記載のリフォームプラン作成装置。
【請求項８】
前記アフタ情報には、前記間取りに関する情報として前記リフォーム後の間取りに関する３次元パースおよび写真の少なくとも一方が含まれていることを特徴とする請求項１から７のいずれか１項に記載のリフォームプラン作成装置。
【発明の詳細な説明】
【技術分野】
【０００１】
本発明は、リフォームプラン作成装置に関する。
【背景技術】
【０００２】
従来の住宅業界では新築住宅の需要が主であったが、近年の住宅業界では既存の住宅をリフォームしたリフォーム住宅の需要が伸びてきている。これに対応して、リフォーム業者などの業者が既存住宅のリフォームを計画するにあたり、リフォームプランの作成を支援する技術が提案され始めている（例えば、特許文献１参照。）。
【先行技術文献】
【特許文献】
【０００３】
【特許文献１】特許第４０３７１８０号公報
【発明の概要】
【発明が解決しようとする課題】
【０００４】
上述の特許文献１に記載の技術では、リフォーム前の既存住宅の間取り図面と、同じ間取り図面又は近似する間取り図面を検索するにあたり、予め定められた項目を用いて検索を行っていた。この同じ間取り図面又は近似する間取り図面は、リフォームプランを作成する際の基本として用いられるものである。
【０００５】
しかしながら、特許文献１に記載の技術では、定められた項目内の選択から間取り図面を作成するため、時間をかけても目的の間取り図面を作成することができない場合があるという問題があった。特に、間取り図面の作成に慣れていない場合や、検索に慣れていない場合には、希望する希望する間取りに辿りつくまでに多くの試行錯誤が必要になるという問題があった。
【０００６】
本発明は、上記の課題を解決するためになされたものであって、リフォームプランをより容易に作成することができるリフォームプラン作成装置を提供することを目的とする。
【課題を解決するための手段】
【０００７】
上記目的を達成するために、本発明は、以下の手段を提供する。
本発明のリフォームプラン作成装置は、建物の改築または模様替えであるリフォームのプラン作成を支援するシステムであって、リフォーム対象である建物の間取りに関する情報であるリフォーム対象情報、および、前記建物のリフォームに要する費用の希望額である予算額情報を取得する取得部と、予め取得されている間取りに関する情報であってリフォーム前の間取りに関する情報であるビフォア情報、前記ビフォア情報に対応するリフォーム後の間取りに関する情報であって前記ビフォア情報と紐付けされたアフタ情報、および、前記アフタ情報と紐付けされたリフォームに要する価格の値である価格情報が少なくとも記憶された記憶部と、前記ビフォア情報に基づいて、前記記憶部から前記リフォーム対象情報と類似範囲にある前記ビフォア情報を選択する類似選択機能、前記予算額情報に基づいて前記予算額情報以下の前記価格情報と紐付けされた前記アフタ情報を選択する予算選択機能、前記類似選択機能により選択された前記ビフォア情報、並びに、前記予算選択機能により選択された前記アフタ情報および前記価格情報を表示部に表示させる表示機能、を少なくとも有する制御部と、が設けられていることを特徴とする。
【０００８】
本発明のリフォームプラン作成装置によれば、制御部の類似選択機能によりリフォーム対象情報と類似範囲にあるビフォア情報が選択されるため、特許文献１に記載の方法と比較して、類似範囲にあるビフォア情報の抽出が容易となる。また、予算額情報にも基づいてアフタ情報を選択するため、リフォームに要する費用が予算額を超えることによるアフタ情報の選択のやり直しが抑制される。
【０００９】
上記発明において前記取得部は、前記リフォーム対象情報として前記間取りに関する間取り図面を取得するものであり、前記ビフォア情報には、前記予め取得されている間取りに関する間取り図面であってリフォーム前の間取りに関する間取り図面が含まれ、
前記制御部の前記類似選択機能は、前記間取り図面に基づいて前記リフォーム対象情報と類似範囲にある前記ビフォア情報を選択することが好ましい。
【００１０】
このように間取り図面に基づいてリフォーム対象情報と類似範囲にあるビフォア情報を選択することにより、類似範囲にあるビフォア情報の抽出がさらに容易となる。
上記発明において前記記憶部に記憶されている前記アフタ情報には、前記アフタ情報に関する前記間取りに対して追加または変更が可能な部材に関する情報であるオプション情報が紐付けされ、前記制御部の前記表示機能は、前記表示部に前記アフタ情報を表示させる際に、紐付けされた前記オプション情報を更に表示させることが好ましい。
【００１１】
このようにオプション情報をさらに表示することにより、利用者が選択できるリフォームプランの範囲が広がる。
上記発明において前記記憶部に記憶されている前記オプション情報には、前記オプション情報の採用に関する採用情報が紐付けされ、前記制御部の前記表示機能は、前記表示部に前記オプション情報を表示する際に前記採用情報に基づいた表示を行うことが好ましい。
【００１２】
このようにオプション情報を表示する際に採用情報に基づいた表示を行うことにより、オプション情報の選択を行いやすくなる。オプション情報の採用に関する採用情報としては、オプション情報を用いてリフォームが行われた回数の情報や、オプション情報のお勧め順位などを例示することができる。採用情報に基づいた表示の方法としては、リフォームが行われた回数が多いオプション情報を目につきやすい位置に表示する方法や、オプション情報にリフォームが行われた回数を併記する表示方法や、リフォームが行われた回数が所定の閾値を超えたオプション情報のみを表示する方法などを例示することができる。
【００１３】
上記発明において前記記憶部に記憶されている前記オプション情報には、所定の観点から分類分けされた傾向の分野である傾向情報が更に紐付けされ、前記制御部は、前記建物のリフォームを発注する利用者の前記傾向情報を取得する傾向取得機能、および、取得した前記傾向情報と同一または類似する傾向情報と紐付けされた前記オプション情報を選択する傾向選択機能を更に有し、前記表示機能は、前記類似選択機能により選択された前記ビフォア情報、並びに、前記傾向選択機能により選択された前記オプション情報を前記表示部に表示させることが好ましい。
【００１４】
上記発明において前記記憶部に記憶されている前記アフタ情報には、所定の観点から分類分けされた傾向の分野である傾向情報が更に紐付けされ、
前記制御部は、前記建物のリフォームを発注する利用者の前記傾向情報を取得する傾向取得機能、および、取得した前記傾向情報と同一または類似する傾向情報と紐付けされた前記アフタ情報を選択する傾向選択機能を更に有し、前記表示機能は、前記類似選択機能により選択された前記ビフォア情報、並びに、前記予算選択機能および前記傾向選択機能により選択された前記アフタ情報および前記価格情報を前記表示部に表示させることが好ましい。
【００１５】
このように傾向情報にも基づいてアフタ情報やオプション情報を選択することにより、傾向情報に基づかない場合と比較して、アフタ情報やオプション情報の選択のやり直しを抑制できる。つまり、利用者の好みや求めていることに関連する傾向情報に基づく選択結果を利用者に対して表示するため、選択の際に発生しやすい「選ばされた」と感じることを払しょくしやすくなる。その結果として、アフタ情報やオプション情報の選択のやり直しを抑制しやすくなる。所定の観点としては、リフォームを発注する利用者の好みや、こだわりなどの嗜好の観点を例示することができる。このような傾向情報を用いることで、利用者の嗜好に沿ったアフタ情報やアフタ情報に紐づけされたオプション情報が選択されやすくなる。その結果、選択の結果に利用者が満足を感じやすくあり、選択のやり直しが発生しにくくなる。
【００１６】
上記発明において前記制御部の前記傾向取得機能は、前記傾向情報に紐付けされた予め定められた選択対象を前記表示部に表示させ、表示された前記選択対象のうち、前記利用者が選択した前記選択対象に紐付けされた前記傾向情報を前記利用者の傾向情報として取得することが好ましい。
【００１７】
このように選択対象を選択させることで、選択対象に紐付けされた傾向情報を取得することができ、傾向情報の取得が容易となる。
上記発明において前記アフタ情報には、前記間取りに関する情報として前記リフォーム後の間取りに関する３次元パースおよび写真の少なくとも一方が含まれていることが好ましい。
【００１８】
このようにアフタ情報に３次元パースおよび写真の少なくとも一方を含めることにより、アフタ情報の選択を行いやすくなる。つまり、アフタ情報を選択する際に、アフタ情報に紐づけされた３次元パースおよび写真の少なくとも一方を確認することにより、リフォーム後の状況を把握しやすくなる。その結果、アフタ情報の中から所望のアフタ情報を選択しやすくなる。
【発明の効果】
【００１９】
本発明のリフォームプラン作成システムによれば、制御部の類似選択機能によりリフォーム対象情報と類似範囲にあるビフォア情報が選択されるため、リフォームプランをより容易に作成することができるリフォームプラン作成装置を提供するという効果を奏する。
【図面の簡単な説明】
【００２０】
【図１】本発明の一実施形態に係るリフォームプラン作成システムの構成を説明する概略図である。
【図２】図１のリフォームプラン作成装置の構成を説明するブロック図である。
【図３】図１のリフォームプラン作成システムによるリフォームプラン作成を支援する方法を説明するフローチャートである。
【図４】図１のリフォームプラン作成システムによるリフォームプラン作成を支援する方法を説明するラダーチャートである。
【発明を実施するための形態】
【００２１】
この発明の一実施形態に係るリフォームプラン作成装置を用いたリフォームプラン作成システムについて図１から図４を参照しながら説明する。本実施形態では、リフォームプラン作成システム１を、リフォーム業者などの業者が既存住宅の改築または模様替えであるリフォームを計画する際に行うリフォームプラン作成を支援する例に適用して説明する。
【００２２】
リフォームプラン作成システム１には、図１に示すように、リフォームプラン作成装置１０と、外部端末２０と、データベースサーバ（記憶部）３０と、が少なくとも設けられている。リフォームプラン作成装置１０、データベースサーバ３０および外部端末２０は、公知の通信手段を介して互いに情報の送受信が可能に接続されている。公知の通信手段としては、インターネットやイントラネットなどに代表される通信網や、電話回線や、企業等が所有する専用の通信回線などを例示することができる。本実施形態では、公知の通信手段がインターネットである例に適用して説明する。また、公知の通信手段は、有線による通信を行うものであってもよいし、無線による通信を行うものであってもよい。
【００２３】
外部端末２０は、インターネット５０を介してリフォームプラン作成装置１０と情報の送受信が可能に接続されるパーソナルコンピュータ等の情報端末である。外部端末２０には、リフォーム対象である建物の間取りに関する情報であるリフォーム対象情報、および、建物のリフォームに要する費用の希望額である予算額情報の入力に用いられる入力部２１と、入力されたリフォーム対象情報および予算額情報や、リフォームプラン作成装置１０から送信されてきたビフォア情報、アフタ情報、オプション情報および価格情報などが表示される表示部２２が少なくとも設けられている。
【００２４】
本実施形態では、リフォーム対象情報が間取り図面に関する情報である例に適用して説明する。間取り図面に関する情報とは、公知の間取り作成ソフトから出力される間取り図面を表すパラメータ情報や、間取り図面の画像情報等を例示することができる。
【００２５】
外部端末２０が設置される場所としては、建物のリフォームの代理店などを例示することができ、リフォームプラン作成装置１０とは異なる場所に設置することができる。また、１台のリフォームプラン作成装置１０に対して接続される外部端末２０の台数は特に限定されるものではない。
【００２６】
データベースサーバ３０は、インターネット５０を介してリフォームプラン作成装置１０と情報の送受信が可能に接続されるサーバである。データベースサーバ３０には、予め取得されている間取りに関する情報であってリフォーム前の間取り図であるビフォア情報、ビフォア情報に対応するリフォーム後の間取り図であってビフォア情報と紐付けされたアフタ情報、アフタ情報に関する間取りに対して追加または変更が可能な部材に関する情報であるオプション情報、オプション情報に紐付けされたオプション情報の採用に関する採用情報、アフタ情報に紐付けされた所定の観点から分類分けされた傾向の分野である傾向情報、および、アフタ情報と紐付けされたリフォームに要する価格の値である価格情報が少なくとも記憶されている。アフタ情報には、間取りに関する情報としてリフォーム後の間取りに関する３次元パースおよび写真の少なくとも一方が含まれている。本実施形態では、３次元パースおよび写真の両者がアフタ情報に含まれている例に適用して説明する。
【００２７】
ここで、採用情報としては、オプション情報を用いてリフォームが行われた回数の情報や、オプション情報のお勧め順位などを例示することができる。また、傾向情報での所定の観点から分類分けされた傾向における分類とは、利用者の感性や何にこだわるかの判定で判定される分類である。例えば、高級志向、コストパフォーマンス重視、好みの意匠の傾向などを挙げることができる。
【００２８】
リフォームプラン作成装置１０は、建物の改築または模様替えであるリフォームのプラン作成を支援するものである。本実施形態では、リフォームプラン作成装置１０がＣＰＵ（中央演算処理ユニット）、ＲＯＭ、ＲＡＭ、入出力インタフェース等を有するサーバである例に適用して説明する。上述のＲＯＭ等の記憶装置に記憶されている制御プログラムは、図２に示すように、ＣＰＵを類似選択機能１１Ａ、予算選択機能１１Ｂ、表示機能１１Ｃ、傾向取得機能１１Ｄおよび傾向選択機能１１Ｅを少なくとも有する制御部１１として機能させ、入出力インタフェース等を取得部１２および通信部１３として機能させるものである。
【００２９】
制御部１１は、リフォームのプラン作成を支援する情報処理を行うものである。制御部１１で行われる情報処理の内容としては、機能に分けて説明すると類似選択機能１１Ａ、予算選択機能１１Ｂおよび表示機能１１Ｃが少なくとも含まれる。なお、制御部１１における情報処理の詳細については、後述する。
【００３０】
類似選択機能１１Ａは、データベースサーバ３０から、外部端末２０が取得したリフォーム対象情報と類似範囲にあるビフォア情報を選択するものである。予算選択機能１１Ｂは、データベースサーバ３０から、外部端末２０が取得した予算額情報以下の価格情報と紐付けされたアフタ情報を選択するものである。
【００３１】
表示機能１１Ｃは、類似選択機能１１Ａにより選択されたビフォア情報、並びに、予算選択機能１１Ｂにより選択されたアフタ情報および価格情報などを外部端末２０の表示部２２に表示させるものである。傾向取得機能１１Ｄは、外部端末２０を介して建物のリフォームを発注する利用者の傾向情報を取得するものである。傾向選択機能１１Ｅは、取得した傾向情報と同一または類似する傾向情報と紐付けされたアフタ情報を選択するものである。
【００３２】
取得部１２は、外部端末２０と情報の送受信が可能に接続されるものである。取得部１２では、リフォーム対象である建物の間取りに関する情報であるリフォーム対象情報、および、建物のリフォームに要する費用の希望額である予算額情報の受信が行われる。また、取得部１２から、ビフォア情報、アフタ情報、オプション情報、採用情報および価格情報の送信も行われる。
【００３３】
通信部１３は、データベースサーバ３０との間でビフォア情報、アフタ情報、オプション情報、採用情報、傾向情報および価格情報などの情報の送受信が可能に接続されるものである。なお、取得部１２および通信部１３としては公知の構成を有する入出力インタフェースを用いることができる。
【００３４】
次に、本実施形態のリフォームプラン作成システム１による既存住宅のリフォームを計画する際に行うリフォームプラン作成を支援する方法について図３および図４を参照しながら説明する。
【００３５】
リフォームプラン作成システム１によるリフォームプラン作成の支援は、図４に示すように、外部端末２０からリフォームプラン作成装置１０へリフォームプラン作成の支援を要求することにより開始される（Ｓ１０１）。
【００３６】
要求を受けたリフォームプラン作成装置１０は、図３に示すように、リフォームプラン作成システム１の利用者（つまり、リフォーム計画を立てようとしている者）のこだわりの傾向である傾向情報を取得する処理を行う（Ｓ１１）。
【００３７】
傾向情報を取得する処理では、まず、制御部１１の傾向取得機能１１Ｄにより、通信部１３から外部端末２０へ傾向情報を取得する選択対象の情報を送信する処理が行われる（Ｓ１１１）。送信された選択対象情報は、外部端末２０の表示部２２に選択対象として表示される。利用者は、選択対象を選択して、選択した結果を入力部２１へ入力する。選択結果の情報は、外部端末２０から通信部１３へ送信され、制御部１１に取得される（Ｓ１１２）。制御部１１は、取得した選択結果の情報に基づき、選択対象と紐付けされた傾向情報を取得する。このように選択対象を選択させることで、選択対象に紐付けされた傾向情報を取得することにより、傾向情報の取得が容易となる。
【００３８】
なお、傾向情報を取得する方法としては、上述のように傾向情報と紐付けされた選択対象を選択させる方法であってもよいし、使用者のこだわり（例えば、高級志向、コストパフォーマンス重視、好みの意匠）を質問で直接尋ねる方法であってもよいし、一見これらとの関係性がないと思われる事項を尋ね、これらの事項と予め関連付けされているこだわりの傾向である傾向情報を取得する方法であってもよい。
【００３９】
傾向情報の取得が行われるとリフォームプラン作成装置１０は、図３に示すように、リフォーム対象である建物の間取りに関する情報であるリフォーム対象情報、および、建物のリフォームに要する費用の希望額である予算額情報を取得する処理を行う（Ｓ１２）。
【００４０】
リフォーム対象情報および予算額情報を取得する処理では、図４に示すように、制御部１１により、通信部１３から外部端末２０へリフォーム対象情報および予算額情報を入力させる画面を表示させる入力指示の信号を送信する処理が行われる（Ｓ１２１）。外部端末２０では、入力指示の信号が入力されたことにより、リフォーム対象情報および予算額情報の入力を利用者に促す画像を表示部２２に表示する。表示部２２の表示画像に従って利用者が入力部２１を用いてリフォーム対象情報および予算額情報を入力する。入力されたリフォーム対象情報および予算額情報は、外部端末２０から通信部１３へ送信され、制御部１１に取得される（Ｓ１２２）。
【００４１】
リフォーム対象情報および予算額情報の取得が行われると、リフォームプラン作成装置１０は、図３に示すように、外部端末２０が取得したリフォーム対象情報と類似範囲にあるビフォア情報を選択する処理を行う（Ｓ１３）。
【００４２】
リフォーム対象情報と類似範囲にあるビフォア情報を選択する処理では、図４に示すように、制御部１１の類似選択機能１１Ａにより、外部端末２０が取得したリフォーム対象情報と類似範囲にあるビフォア情報を出力させる制御信号を通信部１３からデータベースサーバ３０へ出力する（Ｓ１３１）。ここで、リフォーム対象情報と類似範囲にあるビフォア情報とは、例えば、類比を判定する予め定められたパラメータにおいて、予め定められたパラメータからのズレの量が所定範囲内に収まるビフォア情報を挙げることができる。
【００４３】
この制御信号が入力されたデータベースサーバ３０は、類似範囲にあるビフォア情報をリフォームプラン作成装置１０の通信部１３へ出力する（Ｓ１３２）。出力されるビフォア情報は、１つであってもよいし、複数であってもよい。
【００４４】
ビフォア情報は、制御部１１の表示機能１１Ｃにより、外部端末２０へ出力されて表示部２２に表示される（Ｓ１３３）。利用者は、表示部２２に表示されたビフォア情報を確認し、リフォームを行う既存住宅に最も近いビフォア情報を選択し、入力部２１を介して選択したビフォア情報を指定する。入力部２１を介して入力されたビフォア指定情報は、リフォームプラン作成装置１０へ出力される（Ｓ１３４）。
【００４５】
ビフォア指定情報の取得が行われると、リフォームプラン作成装置１０は、図３に示すように、指定されたビフォア情報に紐付けされたアフタ情報を選択する処理を行う（Ｓ１４）。
【００４６】
アフタ情報を選択する処理では、図４に示すように、制御部１１より、指定されたビフォア情報に紐付けされたアフタ情報であって、外部端末２０が取得した予算額情報の範囲内または予算情報以下の金額の価格情報、および、取得された傾向情報と同じ分類と紐付けされたアフタ情報および紐付けされた価格情報（以下「アフタ情報等」とも表記する。）を出力させる制御信号を通信部１３からデータベースサーバ３０へ出力する（Ｓ１４１）。
【００４７】
この制御信号が入力されたデータベースサーバ３０は、条件を満たすアフタ情報等をリフォームプラン作成装置１０の通信部１３へ出力する（Ｓ１４２）。出力されるアフタ情報等は、１つであってもよいし、複数であってもよい。
【００４８】
アフタ情報等は、制御部１１の表示機能１１Ｃにより、外部端末２０へ出力されて表示部２２に表示される（Ｓ１４３）。表示部２２には、アフタ情報の他に、紐付けされた価格情報も表示される。表示される価格情報は、例えば、総額であってもよいし、ひと月当たりの支払額であってもよいし、両者を同時に表示してもよい。さらに、利用者は、表示されたアフタ情報のうち、所望のアフタ情報を指定し、このアフタ情報に含まれる３次元パースや写真を表示部２２に表示させることもできる。
【００４９】
利用者は、表示部２２に表示されるアフタ情報や価格情報等を確認しながら行おうとするリフォーム後の間取りに近いアフタ情報を選択し、入力部２１を介して選択したアフタ情報を指定する。入力部２１を介して入力されたアフタ指定情報は、リフォームプラン作成装置１０へ出力される（Ｓ１４４）。
【００５０】
アフタ指定情報の取得が行われると、リフォームプラン作成装置１０は、図３に示すように、指定されたアフタ情報に紐付けされたオプション情報を選択する処理を行う（Ｓ１５）。
【００５１】
オプション情報を選択する処理では、図４に示すように、制御部１１より、指定されたアフタ情報に紐付けされたオプション情報を出力させる制御信号を通信部１３からデータベースサーバ３０へ出力する（Ｓ１５１）。
【００５２】
この制御信号が入力されたデータベースサーバ３０は、指定されたアフタ情報に紐付けされたオプション情報、および、このオプション情報に紐付けされた採用情報をリフォームプラン作成装置１０の通信部１３へ出力する（Ｓ１５２）。出力されるオプション情報および採用情報は、１つであってもよいし、複数であってもよい。
【００５３】
オプション情報は、制御部１１の表示機能１１Ｃにより、外部端末２０へ出力されて表示部２２に表示される（Ｓ１５３）。このとき、オプション情報に紐付けされた採用情報に基づいてオプション情報の表示方法が制御される。採用情報に基づいた表示の方法としては、リフォームが行われた回数が多いオプション情報を目につきやすい位置に表示する方法や、オプション情報にリフォームが行われた回数を併記する表示方法や、リフォームが行われた回数が所定の閾値を超えたオプション情報のみを表示する方法などを例示することができる。このように表示部２２にオプション情報を表示する際に、採用情報に基づいたオプション情報の表示を行うことにより、利用者はオプション情報の選択を行いやすくなる。
【００５４】
利用者は、表示部２２に表示されるオプション情報を確認しながら選択したアフタ情報の間取りに対して追加または変更を行うか否か判断し、追加または変更を行う場合には、希望するオプション情報を選択し、入力部２１を介して選択したオプション情報を指定する。入力部２１を介して入力されたオプション指定情報は、リフォームプラン作成装置１０へ出力される（Ｓ１５４）。
【００５５】
オプション指定情報の取得が行われると、リフォームプラン作成装置１０は、図３に示すように、リフォームプランを作成し、作成したプラン情報を外部端末２０に出力する処理を行う（Ｓ１６）。
【００５６】
リフォームプランを作成する処理では、リフォームプラン作成装置１０は、利用者が選択したアフタ情報やオプション情報、および、これらの情報に紐付けされた価格情報等に基づいて、利用者に提案するリフォームプランを作成する。作成されたリフォームプランのプラン情報は、図４に示すように、リフォームプラン作成装置１０から外部端末２０に出力され（Ｓ１６１）、外部端末２０の表示部２２に表示される。
【００５７】
上記の構成のリフォームプラン作成システム１によれば、によれば、制御部１１の類似選択機能１１Ａによりリフォーム対象情報と類似範囲にあるビフォア情報が選択されるため、特許文献１に記載の方法と比較して、類似範囲にあるビフォア情報の抽出が容易となる。また、予算額情報にも基づいてアフタ情報を選択するため、リフォームに要する費用が予算額を超えることによるアフタ情報の選択のやり直しが抑制される。
【００５８】
間取り図面に基づいてリフォーム対象情報と類似範囲にあるビフォア情報を選択することにより、類似範囲にあるビフォア情報の抽出がさらに容易となる。また、オプション情報を表示部２２に表示することにより、使用者が選択できるリフォームプランの範囲が広がる。
【００５９】
傾向情報に基づいてアフタ情報を選択することにより、傾向情報に基づかない場合と比較して、アフタ情報の選択のやり直しを抑制できる。つまり、利用者の好みや求めていることに関連する傾向情報に基づく選択結果を利用者に対して表示するため、選択の際に発生しやすい「選ばされた」と感じることを払しょくしやすくなる。その結果として、アフタ情報の選択のやり直しを抑制しやすくなる。
【００６０】
所定の観点としては、リフォームを発注する利用者の好みや、こだわりなどの嗜好の観点を例示することができる。このような傾向情報を用いることで、利用者の嗜好に沿ったアフタ情報やアフタ情報に紐づけされたオプション情報が選択されやすくなる。その結果、選択の結果に利用者が満足を感じやすくあり、選択のやり直しが発生しにくくなる。
【００６１】
アフタ情報に３次元パースおよび写真を含めることにより、アフタ情報の選択を行いやすくなる。つまり、使用者がアフタ情報を選択する際に、アフタ情報に紐づけされた３次元パースおよび写真を確認することにより、リフォーム後の状況を把握しやすくなり、アフタ情報の中から所望のアフタ情報を選択しやすくなる。
【００６２】
なお、本実施形態では、リフォームプラン作成装置１０から送信される制御信号等に基づいて外部端末２０の表示部２２に表示される内容が制御される例に適用して説明したが、外部端末２０に表示部２２で表示される内容を制御するプログラムが記憶され、このプログラムに基づく制御により表示部２２で表示される内容が制御されてもよい。
【００６３】
また、本実施形態では、リフォームプラン作成装置１０と接続された外部端末２０を用いてリフォームプラン作成を支援する方法に適用して説明したが、リフォームプラン作成装置１０に直接つながれた入力部および表示部を用いてリフォームプラン作成を支援する方法に適用してもよい。
【００６４】
さらに、本実施形態では、リフォームプラン作成装置１０とデータベースサーバ３０とが別々に設けられた例に適用して説明したが、リフォームプラン作成装置１０とデータベースサーバ３０と一体にしたものであってもよい。
【００６５】
さらに、上記の実施形態では傾向情報に基づいてアフタ情報を選択する例に適用して説明したが、傾向情報に基づいて選択する対象はオプション情報であってもよいし、アフタ情報およびオプション情報の両者であってもよい。
【符号の説明】
【００６６】
１０…リフォームプラン作成装置、１１…制御部、１１Ａ…類似選択機能、１１Ｂ…予算選択機能、１１Ｃ…表示機能、１１Ｄ…傾向取得機能、１１Ｅ…傾向選択機能、１２…取得部、１３…通信部、２２…表示部、３０…データベースサーバ（記憶部）
【図１】
2017199131.tif 000003
【図２】
2017199131.tif 000004
【図３】
2017199131.tif 000005
【図４】
2017199131.tif 000006